(57)【要約】      （修正有）【課題】鍋において取手を取り付けるための所定位置や取手の取り付け方向が限定されない、機能的な取手を提供する。【解決手段】内部に中空部が形成されてなる持ち手部２と、前記持ち手部から先端方向に延出してなる腕部３と、前記腕部の先端に形成されて鍋の外縁部を着脱自在に挟持可能な挟持部４とを備える鍋用取手を提供する。さらに、前記中空部に収容され、前記持ち手部から着脱可能である駒体６と、前記駒体に装着されてなる磁石と、を備えてなることにより、駒体は蓋用取手として用いることができ、蓋を持ち上げることができる鍋用取手を提供する。【選択図】図１
0003232433.tif 000002
【実用新案登録請求の範囲】
【請求項１】
内部に中空部が形成されてなる持ち手部と、
前記持ち手部から先端方向に延出してなる腕部と、
前記腕部の先端に形成されて鍋の外縁部を着脱自在に挟持可能な挟持部と、
前記中空部に収容され、前記持ち手部から着脱可能である駒体と、
前記駒体に装着されてなる磁石と、を備えてなる
ことを特徴とする鍋用取手。
【請求項２】
前記中空部の外壁の少なくとも一部が強磁性体からなり、
前記中空部に収容された前記駒体を、前記磁石によって前記外壁に固定可能とする
ことを特徴とする請求項１に記載の鍋用取手。
【請求項３】
前記持ち手部が、その左右外縁を枠体によって形成されてなり、
前記枠体に囲まれた空間が前記中空部を形成してなる
ことを特徴とする請求項１または２に記載の鍋用取手。
【請求項４】
前記挟持部が、前記腕部から上下に分岐した上爪部と下爪部とによって構成されてなる
ことを特徴とする請求項１〜３のいずれか１つに記載の鍋用取手。
【請求項５】
前記下爪部の先端が、前記上爪部の先端よりも前方位置まで延出してなると共に、前記上爪部の下方から上向きに屈曲されてなり、
前記上爪部の先端部と前記下爪部の先端部との間に鍋の外縁部を挿し入れ可能な隙間が形成されてなる
ことを特徴とする請求項４に記載の鍋用取手。
【考案の詳細な説明】
【技術分野】
【０００１】
本考案は、鍋に対して着脱自在に取付けることができる鍋用取手に関する。
【背景技術】
【０００２】
調理用鍋に着脱可能に取付けることができる取手が考案されている。
【先行技術文献】
【特許文献】
【０００３】
【特許文献１】特開２００１−２７５８５８号公報
【考案の概要】
【考案が解決しようとする課題】
【０００４】
しかし、鍋において取手を取り付けるための所定位置や取手の取り付け方向が限定されているなど、機能性が限定されることがあった。また、鍋の外縁部を掴むことに機能が特化することで、一見して外縁部を掴むことができない構造を有する鍋及び鍋蓋などには適用できないといった問題もあった。
【課題を解決するための手段】
【０００５】
そこで、上記課題を解決するための手段として本考案に係る鍋用取手は、内部に中空部が形成されてなる持ち手部と、前記持ち手部から先端方向に延出してなる腕部と、前記腕部の先端に形成されて鍋の外縁部を着脱自在に挟持可能な挟持部と、前記中空部に収容され、前記持ち手部から着脱可能である駒体と、前記駒体に装着されてなる磁石と、を備えてなることを特徴とする。なお、駒体はシリコンなど、加熱された機器の表面温度によっても熱変形しないような素材によって構成されることが好ましい。
【０００６】
また、前記中空部の外壁の少なくとも一部が強磁性体からなり、前記中空部に収容された前記駒体を、前記磁石によって前記外壁に固定可能とすることとしても好ましい。
【０００７】
さらに、前記持ち手部が、その左右外縁を枠体によって形成されてなり、前記枠体に囲まれた空間が前記中空部を形成してなることとしても好ましい。
【０００８】
さらにまた、前記挟持部が、前記腕部から上下に分岐した上爪部と下爪部とによって構成されてなることとしても好ましい。
【０００９】
また、前記下爪部の先端が、前記上爪部の先端よりも前方位置まで延出してなると共に、前記上爪部の下方から上向きに屈曲されてなり、前記上爪部の先端部と前記下爪部の先端部との間に鍋の外縁部を挿し入れ可能な隙間が形成されてなることとしても好ましい。
【考案の効果】
【００１０】
挟持部を鍋の外縁部に挿し入れることによって、水平方向、若しくは上方から鍋を挟持することができる着脱自在の取手を提供することができる。
【００１１】
本考案に係る鍋用取手の持ち手部から駒体を取り外し、取り外した駒体を取手本体とは別に用いることができる。持ち手部から取り外した駒体は、鉄などの強磁性体によって形成されてなる取手のない鍋蓋に磁力によって取り付けることができる。取り付けられた駒体は蓋用取手として用いることができ、蓋を持ち上げることができる。また、駒体は、鍋に覆いかぶされることによって、一見して外縁部を挟持することができない鍋蓋の鍋用取手として用いることができる。
【図面の簡単な説明】
【００１２】
【図１】鍋用取手１の斜視図である。
【図２】鍋用取手１の右側面図である。
【図３】鍋用取手１を底面から見た斜視図である。
【図４】鍋用取手１が鍋の外縁部を挟持した状態を示す図である。
【図５】鍋用取手１が鍋兼用蓋の外縁部を挟持した状態を示す図である。
【図６】鍋用取手１の持ち手部から駒体を取り外した状態を示す図である。
【図７】駒体６のＡ−Ａ縦断面図である。
【図８】駒体６を鍋兼用蓋に取り付けた状態を示す図である。
【図９】駒体６を掴んで、鍋兼用蓋を開いた様子を示す図である。
【考案を実施するための形態】
【００１３】
以下、本考案に係る実施の形態を、図を参照しながら詳しく説明する。なお、本明細書及び図面において、実質的に同一の機能構成を有する構成要素については、同一の符号を付することにより重複説明を省略する。
【００１４】
本考案に係る鍋用取手１は、図１の斜視図に示すように、持ち手部２から先端方向に延出してなる腕部３と、腕部３の先端に形成されてなる挟持部４と、を備える。なお、以下において先端方向を前方といい、基端方向を後方ということがある。また、持ち手部２の内部には中空部５が形成されてなる。中空部５には、持ち手部２から着脱可能である駒体６が収容されてなる。さらに、駒体６の底部には、図７の断面図に示すように、磁石７が埋め込まれた状態に装着されてなる。
【００１５】
本実施の形態において、図６に示すように、駒体６はシリコン樹脂からならなる塊体であり、以下に説明するように、駒体６を持ち手として使用する際に手指をもちいて掴みやすい大きさに形成されてなる。また、駒体６の形状を前後側端面が下面から上面にかけて丸みのある曲面に形成されてなることによって、指を前記曲面に掛けることで力が入れやすく、中空部５から駒体６を取り出しやすい。さらに、駒体６の表面に凹凸構造を形成することで、持ち手として使用する際にしっかりとつかむことができる。
【００１６】
本実施の形態において、持ち手部２及び腕部３は、図１〜図３、図６に示すように、金属製の棒体を折り曲げ加工することにより形成されてなる。持ち手部２は、中空部５を左右から挟み込むように、中空部５の左右側面に沿って平行なループ状の枠体を形成して構成されてなる。また、持ち手部２の後端面は解放されてなることにより、中空部５に収容された駒体６に、前記解放された後端面から指を掛けることができ、駒体６の着脱を行い易い。また、中空部５の下面には、図３、図６に示すように、前記左右に配置されたループ状の枠体の下側縁同士の間を連接してなる強磁性体からなる金属板８が配設されてなる。
【００１７】
中空部５に収容された駒体６は、持ち手部２が中空部５を構成する左右の枠体に挟み込まれて保持されてなる。また、図３に示すように、磁石７によって駒体６を金属板８に吸着することができ、中空部５からの不意な脱離を効果的に防止することができる。
【００１８】
持ち手部２を形成する左右のループ状の枠体は、それぞれ前方上端部において二本の棒体が近接して前方に延出する。持ち手部２から前方に延出した棒体は腕部３を形成する。そして、腕部３の先端部において、図２に示すように、近接していた棒体の一方が下方に一旦分岐し、さらに先端において上方に折り返されることによって下爪部９を形成してなる。
【００１９】
一方、前記分岐位置から他方の棒体は、図２に示すように、さらに前方に向かって延出し、下爪部９の手前で先端を構成する上爪部１０を形成する。さらに、上爪部１０の先端部と下爪部９の先端部との間には、図４に示すように、取手のない鍋１２の外縁部を挿し入れ可能な隙間１１が形成されてなる。これにより、下爪部９、上爪部１０、及び隙間１１によって挟持部４が構成される。
【００２０】
図４において、鍋１２の鍋外縁部１３は鍋１２本体から水平外方に延出した鍔を形成してなる。隙間１１に鍋１２の鍋外縁部１３が挿し込まれると、上爪部１０が鍋１２の鍋外縁部１３の上面に当接した状態で、下爪部９の先端を鍋１２の鍋外縁部１３の下面を下方から押し当てることによって、鍋１２の鍋外縁部１３を挟持部４が挟持することができる。
【００２１】
そして、挟持部４が鍋１２の鍋外縁部１３を挟持した状態において、持ち手部２を握って持ち上げると、鍋用取手１と共に鍋１２を持ち上げることができる。
【００２２】
一方、図５には鍋１２の蓋として用いられる鍋兼用蓋１４が上方に拡開した状態で上下逆さまに示されている。鍋兼用蓋１４は、上下逆さまとすることで、鍋としても用いることができるものである。図５からもわかるように、鍋兼用蓋１４にも取手はなく、その蓋外縁部１５は上方に向かって延出してなり、鍋１２の鍋外縁部１３のような鍔を有しない。このような場合にあっても、鍋用取手１は、蓋外縁部１５を上方から隙間１１に挿し入れて、上爪部１０が蓋外縁部１５の内面に当接した状態で、下爪部９を蓋外縁部１５の外面を外方から押し当てることによって、鍋兼用蓋１４の蓋外縁部１５を挟持部４が挟持することができる。
【００２３】
挟持部４が鍋兼用蓋１４の蓋外縁部１５を挟持した状態において、上方に向けられた持ち手部２を外方に倒しながら握って持ち上げると、鍋用取手１と共に鍋兼用蓋１４を持ち上げることができる。なお、下爪部９は先端方向に向かって上爪部１０の左右幅よりも拡開して形成されてなることにより、挟持部４が鍋１２若しくは鍋兼用蓋１４を３点支持によって安定して持ち上げることができる。
【００２４】
次に、本実施の形態において、鍋兼用蓋１４は鍋１２の蓋であり、図８に示すように、鍋１２の鍋外縁部１３の内側に鍋兼用蓋１４を嵌め込むように乗せることで蓋としての機能を発揮することができる。ここで、鍋兼用蓋１４は強磁性体によって構成されてなるが、鍋兼用蓋１４には取手が備わっていないものとする。
【００２５】
このとき、図６に示すように、駒体６は持ち手部２の中空部５から任意に離脱させることができる。また、駒体６の底部には、図７に示すように磁石７が装着されてなる。そして、図８に示すように、磁石７の磁力によって、駒体６を強磁性体からなる鍋兼用蓋１４の上面に取り付けることで、駒体６を鍋兼用蓋１４の取手として構成することができる。
【００２６】
磁力によって鍋兼用蓋１４に取り付けられた駒体６を掴めば、調理によって熱く熱せられた鍋兼用蓋１４を直接触ることなく、図９に示すように鍋兼用蓋１４を鍋１２から取り外すことができる。
【符号の説明】
【００２７】
１  鍋用取手
２  持ち手部
３  腕部
４  挟持部
５  中空部
６  駒体
７  磁石
８  金属板
９  下爪部
１０  上爪部
１１  隙間
１２  鍋
１３  鍋外縁部
１４  鍋兼用蓋
１５  蓋外縁部
【図１】
0003232433.tif 000003
【図２】
0003232433.tif 000004
【図３】
0003232433.tif 000005
【図４】
0003232433.tif 000006
【図５】
0003232433.tif 000007
【図６】
0003232433.tif 000008
【図７】
0003232433.tif 000009
【図８】
0003232433.tif 000010
【図９】
0003232433.tif 000011